【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
画像生成装置であって、
対象物を撮影して画像データを取得する画像データ取得部と、
前記画像データが取得されるときの前記画像生成装置の空間変動に関連する変動関連情報を取得する変動関連情報取得部と、
前記取得された前記画像データと、前記取得された前記変動関連情報と、を関連付けた状態で保存する保存実行部と、
を備えることを特徴とする画像生成装置。
【請求項２】
請求項１記載の画像生成装置であって、
前記変動関連情報は、前記空間変動を表す物理情報を含み、
前記変動関連情報取得部は、
前記物理情報を検出する物理情報検出部を備える、画像生成装置。
【請求項３】
請求項２記載の画像生成装置であって、
前記物理情報を用いて、前記空間変動の程度を表す変動レベル指標を生成する変動レベル指標生成部と、
前記変動レベル指標に応じた通知を行う通知部と、
を備える、画像生成装置。
【請求項４】
請求項１記載の画像生成装置であって、
前記変動関連情報は、前記空間変動の程度を表す変動レベル指標を含み、
前記変動関連情報取得部は、
前記空間変動を表す物理情報を検出する物理情報検出部と、
前記物理情報を用いて、前記空間変動の程度を表す変動レベル指標を生成する変動レベル指標生成部と、
を備える、画像生成装置。
【請求項５】
請求項３または４記載の画像生成装置であって、
前記物理情報は、加速度情報であり、
前記変動レベル指標生成部は、前記画像データが取得されるときのシャッタ速度情報を用いて、前記変動レベル指標を生成する、画像生成装置。
【請求項６】
請求項３または４記載の画像生成装置であって、
前記変動レベル指標生成部は、前記画像データが取得されるときの焦点距離情報を用いて、前記変動レベル指標を生成する、画像生成装置。
【請求項７】
請求項３または４記載の画像生成装置であって、
前記物理情報は、角速度情報であり、
前記変動レベル指標生成部は、前記画像データが取得されるときのシャッタ速度情報を用いて、前記変動レベル指標を生成する、画像生成装置。
【請求項８】
請求項３記載の画像生成装置であって、
前記画像データによって表される画像を表示する表示部を備え、
前記通知部は、前記表示部に前記変動レベル指標に応じた識別子を表示させることによって、前記通知を行う、画像生成装置。
【請求項９】
請求項１ないし８のいずれかに記載の画像生成装置であって、
前記変動関連情報取得部によって取得された前回の撮影時の前記変動関連情報に応じて、前記画像データ取得部による撮影時のシャッタ速度を変更する撮影制御部を備える、画像生成装置。
【請求項１０】
請求項１記載の画像生成装置であって、
前記画像データは、複数の個別画像データを含む動画像データである、画像生成装置。
【請求項１１】
請求項１０記載の画像生成装置であって、
前記変動関連情報取得部は、
前記動画像データが取得されるときに、前記空間変動を表す物理情報を順次検出する物理情報検出部と、
前記順次検出される前記物理情報を用いて、前記動画像データに含まれる個別画像データ群を示す画像指示情報であって、前記個別画像データ群に対応する前記物理情報は所定条件を満足する、前記画像指示情報を生成する画像指示情報生成部と、
を備え、
前記変動関連情報は、前記画像指示情報を含む、画像生成装置。
【請求項１２】
請求項１１記載の画像生成装置であって、
前記画像指示情報生成部は、
前記順次検出される前記物理情報を用いて、前記空間変動の程度を示す変動レベル指標を順次生成する変動レベル指標生成部を備え、
前記画像指示情報生成部は、
前記順次生成される前記変動レベル指標を用いて、前記画像指示情報を生成する、画像生成装置。
【請求項１３】
画像生成装置を用いて画像データを生成する画像生成方法であって、
対象物を撮影して前記画像データを取得する工程と、
前記画像データが取得されるときの前記画像生成装置の空間変動に関連する変動関連情報を取得する工程と、
前記取得された前記画像データと、前記取得された前記変動関連情報と、を関連付けた状態で保存する工程と、
を含むことを特徴とする画像生成方法。
【請求項１４】
画像生成部によって得られた画像データと、前記画像データに関連付けられた付加情報と、を利用して、前記画像データによって表される対象画像を出力する出力部を制御する制御装置であって、
前記画像データと前記付加情報とを読み出す読出部と、
前記画像データを用いて、前記出力部に供給される前記対象画像を表す出力用データを生成する出力用データ生成部と、
前記付加情報に含まれる変動関連情報であって、前記画像データが取得されるときの前記画像生成部の空間変動に関連する前記変動関連情報に応じて、前記出力部による前記対象画像の出力に関する所定の制御を実行する制御部と、
を備えることを特徴とする制御装置。
【請求項１５】
請求項１４記載の制御装置であって、
前記制御部は、前記変動関連情報に応じて、前記出力部による前記対象画像の出力を禁止する、制御装置。
【請求項１６】
請求項１５記載の制御装置であって、
前記出力部は、印刷部であり、
前記出力用データ生成部は、前記画像データを用いて、前記印刷部に供給される印刷データを生成し、
前記制御部は、前記変動関連情報に応じて、前記出力用データ生成部による前記印刷データの生成を禁止する、制御装置。
【請求項１７】
請求項１４記載の制御装置であって、
前記出力部は、表示部であり、
前記出力用データ生成部は、前記画像データを用いて、前記表示部に供給される表示データを生成し、
前記制御部は、前記出力用データ生成部に対して、前記表示部に前記変動関連情報に応じた識別子が表示される前記表示データを生成させる、制御装置。
【請求項１８】
画像生成部によって得られた画像データと、前記画像データに関連付けられた付加情報と、を利用して、前記画像データによって表される対象画像を出力する出力部を制御する制御方法であって、
前記画像データと前記付加情報とを読み出す工程と、
前記画像データを用いて、前記出力部に供給される前記対象画像を表す出力用データを生成する工程と、
前記付加情報に含まれる変動関連情報であって、前記画像データが取得されるときの前記画像生成部の空間変動に関連する前記変動関連情報に応じて、前記出力部による前記対象画像の出力に関する所定の制御を実行する工程と、
を含むことを特徴とする制御方法。
【請求項１９】
画像生成部によって得られた画像データと、前記画像データに関連付けられた付加情報と、を利用して、前記画像データによって表される対象画像を出力する出力部を制御するコンピュータプログラムであって、
前記画像データと前記付加情報とを読み出す機能と、
前記画像データを用いて、前記出力部に供給される前記対象画像を表す出力用データを生成する機能と、
前記付加情報に含まれる変動関連情報であって、前記画像データが取得されるときの前記画像生成部の空間変動に関連する前記変動関連情報に応じて、前記出力部による前記対象画像の出力に関する所定の制御を実行する機能と、
をコンピュータに実現させるためのコンピュータプログラム。
【手続補正２】
【補正対象書類名】明細書
【補正対象項目名】発明の名称
【補正方法】変更
【補正の内容】
【発明の名称】画像生成装置、画像生成方法、制御装置、制御方法、及びコンピュータプログラム